(57)【要約】【課題】  フィルターケースの頂面から突出することなく、回転操作を行うことができるようにしたオイルフィルターを提供する。【解決手段】  フィルターケース２内にフィルター３を収容し、底蓋４の中央部にエンジンブロック取付け用の雌ねじ部５を形成したオイルフィルター１であって、フィルターケース２の側壁外周部２ａにフックスパナ１０の鉤状の爪部１３が係合する凹穴８を周方向に所定ピッチで多数形成してなる。凹穴８はフィルターケース２の側壁外周部２ａと頂面２ｂとの境界部に形成することができる。【選択図】  図１
2015183560.tif 000002
【特許請求の範囲】
【請求項１】
フィルターケース内にフィルターを収容し、底蓋の中央部にエンジンブロック取付け用の雌ねじ部を形成したオイルフィルターであって、前記フィルターケースの側壁外周部にフックスパナの鉤状の爪部が係合する凹穴を周方向に所定ピッチで多数形成してなることを特徴とするオイルフィルター。
【請求項２】
凹穴はフィルターケースの側壁外周部と頂面との境界部に形成してなる請求項１に記載のオイルフィルター。
【請求項３】
凹穴はフィルターケースをプレス加工して形成してなる請求項１又は２に記載のオイルフィルター。
【発明の詳細な説明】
【技術分野】
【０００１】
本発明は、自動車のエンジンに取付けられエンジンオイルを濾過するオイルフィルターに関する。
【背景技術】
【０００２】
自動車のエンジンの潤滑オイルを濾過するためのオイルフィルターは、定期的に交換する必要がある。この交換作業には、図７に示すような、オイルフィルターレンチと称される専用のアダプター２０が従来から一般的に用いられている。このアダプター２０は、フィルターケース２１の外周面に形成された多角形状の係合部２２に対応する内周面形状を形成したもので、その頂部には、中心部に四角形の孔２３が形成された六角ナット２４が固着されている。
【０００３】
このアダプター２０をフィルターケース２１に嵌合させて、六角ナット２４にスパナを係合させ、又はラチェットレンチ２５の係合凸部２６を六角ナットに形成した四角形の孔２３に嵌合させ、回転操作することによりフィルターケース２１を回転させてエンジンブロックからオイルフィルター２７を取付け、又は取り外す。ラチェットレンチ２５を用いる場合、アダプター２０とラチェットレンチ２５の厚み分（Ｌ）だけ、フィルターケース２１の頂面から外方に空間がなければ装着できない（図８）。
【０００４】
しかし、オイルフィルター２７の取付け位置には、様々な部品が存在するため狭く、オイルフィルターレンチ２０やラチェットレンチ２５などの回転操作具を装着することが困難な場合もある。また、オイルフィルター２７の大きさや形状は様々であり、その大きさと形状に対応させた多種類のオイルフィルターレンチ２０を用意しておく必要もある。
【０００５】
このため、専用のオイルフィルターレンチ２０を用いることなく回転操作できるように、フィルターケースの頂部端板の中央部に端板の表面から突出する角軸又は角孔からなるレンチ係合部を設けたものが提案されている（特許文献１）。
【０００６】
しかし、フィルターケースの頂部端板の中央部に端板の表面から突出する角軸を設けたものの場合、少なくとも突出する角軸の厚み分だけフィルターケースの頂面から突出することになる。また、角孔を設けたものの場合、角孔に係合するレンチを角孔に装着する必要があり、装着するレンチの分だけフィルターケースの頂面から突出することになる。このため、狭くて、取付け、取り外し作業に支障を来すこともある。
【先行技術文献】
【特許文献】
【０００７】
【特許文献１】実開平５−８３３０９号公報
【発明の概要】
【発明が解決しようとする課題】
【０００８】
そこで、本発明の目的は、フィルターケースの頂面から突出することなく、回転操作を行うことができるようにしたオイルフィルターを提供することにある。
【課題を解決するための手段】
【０００９】
上記課題を解決するため、本発明によるオイルフィルターは、フィルターケース内にフィルターを収容し、底蓋の中央部にエンジンブロック取付け用の雌ねじ部を形成したオイルフィルターであって、前記フィルターケースの側壁外周部にフックスパナの鉤状の爪部が係合する凹穴を周方向に所定ピッチで多数形成してなること、を特徴としている。
ここで、凹穴はフィルターケースの側壁外周部と頂面との境界部に形成することができる。
また、凹穴はフィルターケースをプレス加工して形成することができる。
【発明の効果】
【００１０】
本発明によるオイルフィルターによれば、フィルターケースの側壁外周部にフックスパナの鉤状の爪部が係合する凹穴を周方向に所定ピッチで多数形成してなるので、凹穴にフックスパナの鉤状の爪部を引っ掛けて係合させ、フックスパナを回転させることにより、オイルフィルターを回転させ、容易に取付け、取外すことができる。その際、フックスパナが、フィルターケースの頂面から外方に突出することはない。
凹穴をフィルターケースの側壁外周部と頂面との境界部に形成すれば、内部に収容されるフィルター等の部材の邪魔にならずに凹穴を形成し易い。
また、凹穴をフィルターケースをプレス加工して形成すれば、凹穴の形成が容易である。
【図面の簡単な説明】
【００１１】
【図１】本発明の実施例によるオイルフィルターの斜視図である。
【図２】図１の中央部縦断面図である。
【図３】フックスパナの斜視図である。
【図４】フックスパナを用いたオイルフィルター取付けの様子を示す平面図である。
【図５】フックスパナを用いたオイルフィルター取外しの様子を示す平面図である。
【図６】図５の正面図である。
【図７】従来例による、オイルフィルターレンチをオイルフィルターに装着する様子を示す斜視図である。
【図８】従来例による、ラチェットレンチを取付けたオイルフィルターレンチをオイルフィルターに装着する際の様子を示す正面図である。
【発明を実施するための形態】
【００１２】
以下、本発明を実施するための形態を図面に基づいて具体的に説明する。本発明の実施例によるオイルフィルター１は、図２に示すように、断面倒立Ｕ字状のフィルターケース２内にフィルター３を収容し、円板状の底蓋４の中央部にエンジンブロック取付け用の雌ねじ部５を形成してある。この雌ねじ部５をエンジンブロック側の雄ねじ部（図示せず）にねじ嵌合して、エンジンブロックにオイルフィルター１を取付ける。
雌ねじ部５の周囲のオイル流入口６から流入したオイルがフィルター３で濾過され、中央の芯筒７を通ってエンジン側に流下するようになっている。かかる内部構造は、従来のオイルフィルターと同様である。
【００１３】
そして、フィルターケース２の側壁外周部２ａに、フックスパナ１０の鉤状の爪部１３が係合する凹穴８を周方向に所定ピッチで多数形成してある。
この凹穴８は、フィルターケース２の側壁外周部２ａと頂面２ｂとの境界部（側壁外周部の上端部）に形成してある。これにより、内部に収容されるフィルター３等の部材の邪魔にならないように凹穴８を形成し易い。
なお、凹穴８を側壁外周部２ａの上下方向の中間部に形成することもできるが、その場合、内部に収容するフィルター３等の邪魔にならないように形成する必要がある。
【００１４】
凹穴８の大きさ、深さは、フックスパナ１０の鉤状の爪部１３が引っ掛かって係合する大きさ、深さとなっている。なお、凹穴８の深さは、鉤状の爪部１３を凹穴８に引っ掛けて係合できる深さであれば、できるだけ浅くして、内部に収容する部材の支障とならないようにするとよい。
凹穴８はフィルターケース２をプレス加工して形成してある。
【００１５】
本発明において使用するフックスパナ１０は、図３に示すような構造のもので、把手部１１の先端から円弧状又は楕円弧状に延びる湾曲部１２を有し、該湾曲部１２の先端に鉤状の爪部１３を備えたものである。このフックスパナ１０は平板状の一体物で形成してある。
【００１６】
このフックスパナ１０を用いて、オイルフィルター１をエンジンブロックに取付けるには、手でオイルフィルター１の外周部を持ち、エンジンブロックのオイルフィルター取付け用雄ねじ部にオイルフィルター１の雌ねじ部５をねじ嵌合させ、手で回せるだけ回す。次いで、フックスパナ１０の爪部１３をフィルターケース２に形成した凹穴８に引っ掛けて係合し、フックスパナ１０を回転させて締め付け、エンジンブロックにオイルフィルター１を取付ける（図４）。
【００１７】
一方、エンジンブロックに取付けられたオイルフィルター１を取り外すには、フックスパナ１０の爪部１３をフィルターケース２に形成した凹穴８に引っ掛けて係合し、フックスパナ１０を左回りに回転させてオイルフィルター１を緩める（図５）。一端緩んだならば、フックスパナ１０を取外し、オイルフィルター１を手で左回りに回転させてエンジンブロックからオイルフィルター１を取り外す。
【００１８】
上述したオイルフィルター１のエンジンブロックへの取付け、又は取外しの際に、フックスパナ１０はオイルフィルター１の頂面２ｂから外方へ突出することがない（図６）。このため、オイルフィルター１の取付け、取外しスペースが狭い場合であっても、オイルフィルター１の取付け、取外し作業を支障なく円滑に行うことができる。
【００１９】
図３では、フックスパナ１０は平板状の一体物で形成したものを示したが、湾曲部１２の大きさを可変できるように構成した、自在フックスパナを用いてもよい。かかる自在フックスパナによれば、広い範囲で径の異なるオイルフィルターを取付け又は取り外すことができる。
【符号の説明】
【００２０】
１  オイルフィルター
２  フィルターケース
２ａ  側壁外周部
２ｂ  頂面
３  フィルター
４  底蓋
５  雌ねじ部
８  凹穴
１０  フックスパナ
１１  把手部
１２  湾曲部
１３  爪部
【図１】
2015183560.tif 000003
【図２】
2015183560.tif 000004
【図３】
2015183560.tif 000005
【図４】
2015183560.tif 000006
【図５】
2015183560.tif 000007
【図６】
2015183560.tif 000008
【図７】
2015183560.tif 000009
【図８】
2015183560.tif 000010